(57)【特許請求の範囲】
【請求項１】
（ａ）１分子中に少なくとも２つ以上のイソシアナート基を有するポリイソシアナート化合物；
（ｂ）下記式（１）及び（２）の繰り返し単位からなり、（１）と（２）の割合が（１）／（２）＝９０／１０から３０／７０（モル比）であり、数平均分子量が５５０から３５００であって、末端基が水酸基である脂肪族ポリカーボネートジオール；
【化１】
0005344852.tif 000009
【化２】
0005344852.tif 000010
（ｃ）平均粒子径が０．１から１０μｍのシリカ系艶消し剤；及び
（ｄ）平均粒子径が２から２０μｍのポリウレタン粒子
を必須成分として含有する硬化性塗料用組成物であって、前記ポリイソシアナート化合物（ａ）は、ビウレット型、アロファナート型、ウレチジンジオン型又はイソシアヌラート型のジイソシアナート誘導体、及び多価アルコールアダクト型ポリイソシアナート化合物からなる群から選択される少なくとも１種を含み、前記シリカ系艶消し剤（ｃ）を前記硬化性塗料用組成物の全固形分において３から３０質量％含有し、ポリウレタン粒子（ｄ）を硬化性塗料用組成物の全固形分において０から３０質量％含有する（但し、０質量％は除く）、組成物。
【請求項２】
前記ポリイソシアナート化合物（ａ）が、１分子中に少なくとも２．５以上のイソシアナート基を有する、請求項１に記載の硬化性塗料用組成物。
【請求項３】
更に不活性有機溶剤を０から９０質量％含有する（但し、０質量％は除く）、請求項１記載の硬化性塗料用組成物。
【発明の詳細な説明】
【技術分野】
【０００１】
本発明は、１分子中に少なくとも２つ以上のイソシアナート基を有するポリイソシアナート化合物と、特定の構造式で表される、１分子中に少なくとも２つ以上の水酸基を有するポリカーボネートジオール、及び特定の平均粒子径の艶消し剤からなる硬化性塗料組成物に関するものである。
【背景技術】
【０００２】
従来、ポリウレタン樹脂は、合成皮革、人工皮革、接着剤、家具用塗料、自動車塗料等の幅広い領域で使用されており、イソシアネ−トと反応させるポリオール成分としてポリエーテルやポリエステルが用いられてきた。しかしながら、近年、耐熱性、耐候性、耐磨耗性等の樹脂自体の物理的耐性、そして加水分解性、耐黴性、耐油性等、樹脂の化学的耐性への要求の高度化、さらには、物理的強度とは相反する実用性能である、手触りがソフトである塗料への要求が高まってきている。通常、耐磨耗性等の物理的強度、耐薬品性等の化学的耐性を向上させるためには、ポリマーへの架橋構造の導入が一般的であるが、この手段によると、塗料の塗膜は硬くなってしまうため、耐性に関するハイレベルの要求とソフトな手触りを両立させることには困難があった。
【発明の開示】
【発明が解決しようとする課題】
【０００３】
本発明は、塗膜の柔軟性、耐磨耗性等の物理的強度に優れ、かつ耐酸性、耐アルカリ性、耐アルコール性、耐オレイン酸性等の化学的耐性にも優れ、手触りがソフトな塗膜形成を可能にする硬化性塗料組成物を提供することを目的とする。
【課題を解決するための手段】
【０００４】
本発明者らは、鋭意検討した結果、ポリイソシアナート硬化剤と特定構造のポリカーボネートジオール、及び特定の平均粒子径の艶消し剤を組み合わせることにより、所期目的を達成しうることを見出し、本発明に至った。
（１）  （ａ）１分子中に少なくとも２つ以上のイソシアナート基を有するポリイソシアナート化合物；
（ｂ）下記式（１）及び（２）の繰り返し単位からなり、（１）と（２）の割合が（１）／（２）＝９０／１０から３０／７０（モル比）であり、数平均分子量が５５０から３５００であって、末端基が水酸基である脂肪族ポリカーボネートジオール；及び
【０００５】
【化１】
0005344852.tif 000002
【０００６】
【化２】
0005344852.tif 000003
（ｃ）平均粒子径が０．１から１０μｍのシリカ系艶消し剤
を必須成分として含有する硬化性塗料用組成物であって、前記（ｃ）のシリカ系艶消し剤を、前記硬化性塗料用組成物の全固形分において３から３０質量％含有する組成物。
（２）  前記硬化性塗料組成物が、更に下記（ｄ）を前記硬化性塗料用組成物の全固形分において０から３０質量％含有する（但し、０質量％は除く）、（１）に記載の硬化性塗料用組成物；
（ｄ）平均粒子径が２〜２０μｍのポリウレタン粒子。
（３）  前記ポリイソシアナート化合物（ａ）が、１分子中に少なくとも２．５以上のイソシアナート基を有する、（１）又は（２）に記載の硬化性塗料用組成物。
（４）  更に不活性有機溶剤を０から９０質量％含有する（但し、０質量％は除く）、（１）又は（２）記載の硬化性塗料用組成物。
【発明の効果】
【０００７】
本発明によれば、塗膜の柔軟性、耐磨耗性等の塗膜の物理的強度と、耐酸性、耐アルカリ性、耐アルコール性、耐油性等の塗膜の化学的耐性の物性バランスに優れ、かつ手触りがソフトな塗膜が形成を可能にする硬化性塗料用組成物を提供することができる。
【発明を実施するための最良の形態】
【０００８】
以下、本発明について詳述する。本発明で用いる、１分子中に少なくとも２つ以上のイソシアナート基を有するポリイソシアナート化合物としては、トリレンジイソシアナート、ジフェニルメタンジイソシアナート、ジイソシアナートシクロヘキサン、トリデンジイソシアナート、ヘキサメチレンジイソシアナート、トリメチルヘキサンジイソシアナート，１，５−ナフタレンジイソシアナート、キシリレンジイソシアナート、２，６−ジイソシアナートメチルカプロエート、イソホロンジイソシアナート（ＩＰＤＩ）、メチルシクロヘキサン−２，４（又は２，６）−ジイソシアナート、４，４′メチレンビス（シクロヘキシルイソシアナート）などの芳香族、脂肪族、脂環族系イソシアナートが挙げられる。また前記ポリイソシアナート化合物として、これらのイソシアナートの単独又は混合物から誘導されるイソシアヌレート型ポリイソシアナート、ビュレット型イソシアナート、及びこれらのジイソシアナートとエチレングリコール、ポリエーテルポリオール（ポリエチレングリコール、ポリプロピレングリコール等）、カプロラクトンポリオール、ポリカーボネートポリオールやイソシアナート基と反応する官能基を有する低分子量のポリエステル樹脂（油変性タイプを含む）やアクリル系共重合体などとのランダム型付加物、２−ヒドロキシプロピル（メタ）アクリレートとヘキサメチレンジイソシアナート等モル付加物、イソシアナートエチル（メタ）クリレートなどのイソシアナート基と共重合性不飽和基を有するビニル系モノマーを必須成分として得られたイソシアナート基を有する共重合体等が挙げられる。特に耐候性の点から、ヘキサメチレンジイソシアナート（ＨＤＩ）、イソホロンジイソシアナート（ＩＰＤＩ）等の脂肪族脂環族ジイソシアナートから誘導されたポリイソシアナートが好ましい。更には、これらのポリイソシアナートを、例えば、ブタノール、２−エチルヘキサノール等の低級アルコール、メチルエチルケトンオキシム、ラクタム類、フェノール類、イミダゾール類、活性メチレン化合物など公知のブロック剤でブロックした、いわゆるブロックドイソシアナート系硬化剤を用いることができる。これらポリイソシアナート化合物としては、スミジュール４４Ｓ、４４Ｖ７０（いずれも住化バイエルウレタン製）、ＴＤＩ（トリレンジイソシアナート）とＨＤＩのコポリマーであるディスモジュールＨＬ（住化バイエルウレタン製）、旭化成ケミカルズ製の各種デュラネート、すなわちデュラネート２４Ａ−１００、デュラネート２２Ａ−７５ＰＸ、デュラネート１８Ｈ−７０Ｂ、デュラネート２１Ｓ−７５Ｅ、デュラネートＴＨＡ−１００、デュラネートＴＰＡ−１００、デュラネートＭＦＡ−７５Ｘ、デュラネートＴＳＡ−１００、デュラネートＴＳＳ−１００、デュラネートＴＳＥ−１００、デュラネートＤ−１０１、デュラネートＤ−２０１、デュラネートＰ−３０１−７５Ｅ、デュラネートＥ−４０２−９０Ｔ、デュラネートＥ−４０２−９０Ｔ、デュラネートＥ−４０５−８０Ｔ、デュラネートＭＥ２０−１００、デュラネート１７Ｂ−６０ＰＸ、デュラネートＴＰＡ−Ｂ８０Ｘ、デュラネートＭＦ−Ｂ６０Ｘ、デュラネートＥ−４０２−Ｂ８０Ｔ、デュラネートＭＥ２０−Ｂ８０Ｓ、デュラネートＷＢ４０−１００、デュラネートＷＢ４０−８０Ｄ、デュラネートＷＴ２０−１００、デュラネートＷＴ３０−１００、デュラネートＭＨＧ−８０Ｂ等として入手可能である。硬化塗膜の耐酸性、耐アルカリ性、耐アルコール性、耐油性、耐磨耗性、耐傷付き性を向上させるためには、ポリイソシアナート化合物が、１分子中に少なくとも２．５以上のイソシアナート基かつ／又はブロックドイソシアナート基を有することが好ましく、具体的にはビウレット、アロファナート、ウレチジンジオン、イソシアヌラート等のジイソシアナート誘導体、及び多価アルコールアダクト型がより好ましい。
【０００９】
これらのポリイソシアナート化合物は、２種類以上併用することも可能である。
【００１０】
本発明で用いるポリカーボネートジオールは、下記式（１）及び（２）の繰り返し単位からなり、（１）と（２）の割合が（１）／（２）＝９０／１０〜３０／７０（モル比）であり、末端基が水酸基であることを特徴とする脂肪族ポリカーボネートジオールである。
【００１１】
【化３】
0005344852.tif 000004
【００１２】
【化４】
0005344852.tif 000005
本発明者らは、各種ポリカーボネートジオールを本用途に検討した結果、上記特定の構造のカーボネートジオールを用いることにより、磨耗性等の物理的強度と化学的耐性のバランスに優れた塗料が得られることを見出した。
【００１３】
本発明の効果発生メカニズムについてはよく分かってはいないが、単位重量当たりのカーボネート基総数が、従来使用されていた１，５−ペンタンジオールと１，６−ヘキサンジオールから得られるポリカーボネートジオール等と比較して増加するため、高分子鎖間の分子間相互作用が強くなったことにより、耐磨耗性や化学的耐性が向上したものと予想している。また、高分子間相互作用が大きくなったことによっても樹脂自体の柔軟性がほとんど変化しないのは、２−メチル−１，３−プロパンジオールの側鎖メチル基による効果と予想している。
【００１４】
本発明のポリカーボネートジオールは、Ｓｃｈｅｌｌ著、Ｐｏｌｍｅｒ  Ｒｅｖｉｅｗ第９巻、第９〜２０ページ（１９６４年）に記載された種々の方法により、２−メチル−１，３−プロパンジオールと１，４−ブタンジオールから合成される共重合ポリカーボネートジオールである。
【００１５】
ポリカーボネートジオールを構成する繰り返し単位である（１）と（２）の割合が（１）／（２）＝９０／１０（モル比）を超えると、得られる塗膜の柔軟性が損なわれるので好ましくない。また、ポリカーボネートジオールを構成する繰り返し単位である（１）と（２）の割合が（１）／（２）＝３０／７０（モル比）未満においても得られる塗膜の柔軟性が損なわれるばかりではなく、耐油性、耐磨耗性も悪化するので好ましくない。より好ましいポリカーボネートジオールを構成する繰り返し単位である（１）と（２）の割合は（１）／（２）＝８５／１５〜３５／６５（モル比）、さらに好ましくは（１）／（２）＝８０／２０〜４０／６０（モル比）である。
【００１６】
本発明で用いるポリカーボネートジオールは、２−メチル−１，３−プロパンジオールと１，４−ブタンジオールから合成される共重合ポリカーボネートジオールであるが、その特徴を阻害しない範囲で、その他の低分子量ジオールを共重合成分として含有することができる。具体的に使用できるその他のジオールとしては、エチレングリコール、１，２−プロパンジオール、１，３−プロパンジオール、１，２−ブタンジオール、１、３−ブタンジオール、１、５−ペンタンジオール、２−メチル−１，５−ペンタンジオール、３−メチル−１，５−ペンタンジオール、ネオペンチルグリコール、２，３−ブタンジオール、２，５−ヘキサンジオール、１，７−ヘプタンジオール、１，８−オクタンジオール、２−メチル−１，８−オクタンジオール、１，９−ノナンジオール、１，１０−デカンジオール、１，１１−ウンデカジオール、１，１２−ドデカンジオール、１，４−シクロヘキサンジオール、１，４−シクロヘキサンジメタノール等が挙げられるが、それらジオールの割合は、２−メチル−１，３−プロパンジオールと１，４−ブタンジオールを含む全モノマージオールに占める割合として、４０質量％未満、好ましくは２０質量％未満、さらに好ましくは１０質量％未満である。
【００１７】
本発明における、ポリカーネートジオールの数平均分子量は５５０〜３５００、さらに好ましくは数平均分子量７００〜３０００である。数平均分子量が５００未満になると、塗膜の柔軟性が低下する可能性がある。また、数平均分子量が３５００を超えると、イソシアナートとの反応が著しく遅くなり、乾燥に長時間を要するばかりではなく、得られる塗料組成物の粘度が高くなり、実際の塗工が難しくなるので好ましくない。
【００１８】
本発明に用いられるポリカーボネートジオールのポリマー末端は、実質的にすべてヒドロキシル基であることが好ましい。
【００１９】
本発明においては、２−メチル−１，３−プロパンジオールと１，４−ブタンジオールの他に、１分子に３個以上のヒドロキシル基を持つ化合物、例えば、トリメチロールエタン、トリメチロールプロパン、ヘキサントリオール、ペンタエリスリトール等を更に少量用いることで得られる、一分子中の平均水酸基数が２．５未満、好ましくは２．４未満の多官能化したポリカーボネートも含まれる。２．５以上に多官能化したポリカーボネートの場合、得られる塗料組成物の粘度が高くなり、実際の塗工が難しくなるばかりではなく、得られる塗膜が硬くなる可能性があるので好ましくない。
【００２０】
ポリイソシアナートの添加量はポリイソシアナート中のＮＣＯと前記ポリカーボネートジオール中のＯＨとのモル比で決定される。前記ポリカーボネートジオールとポリイソシアナートとの配合比は、塗膜性能の点からＯＨ／ＮＣＯ＝１／０．５〜１／１．５（当量比）、より好ましくはＯＨ／ＮＣＯ＝１／０．８〜１／１．２（当量比）となるように配合する。ＯＨ１当量に対してＮＣＯが０．５当量未満では所定の塗膜物性が得られず、１．５当量を超えると硬化速度が適切でなく好ましくない。
【００２１】
本発明では得られる塗膜表面の強度、ブロッキング性改善と耐スクラッチ性をより高めるため、そして塗膜光沢を調整するためにシリカ系艶消し剤を用いる。使用可能なシリカ系艶消しとしては微粉末シリカ、コロイダルシリカ等が挙げられ、Degussa社製AcemattOK、TS、OP、ＨＫシリーズ、富士シリシア化学（株）社製サイシリア、サイロホービック、サイロスフェアシリーズ、扶桑化学（株）社製クォートロンシリーズ、（株）トクヤマ製ファインシール、東ソーシリカ（株）Nipsilシリーズ、水澤化学（株）ミズカシル等がある。
【００２２】
使用する艶消し剤粒子の平均粒子径は０．１〜１０μｍである。平均粒子径が０．１μｍ未満では、得られる塗膜の光沢が高くなりすぎるばかりではなく、手触りがソフトな感じ（以下ソフト感と称す）も低下するので好ましくない。一方、平均粒子径が１０μｍを超えると、得られる塗膜の磨耗性が低下し、また塗膜の透明感が損なわれるので好ましくない。より好ましい平均粒子径は０．２〜８μｍ、さらに好ましくは０．５〜５μｍである。
【００２３】
本塗料組成部におけるシリカ系艶消し剤粒子の添加量は、塗料組成物に含まれる全固形分の３〜３０質量％である。シリカ系艶消し剤粒子の含有量が３質量％未満では、得られる塗膜のソフト感が得られず、またシリカ系艶消し剤粒子の含有量が３０質量％を超えると、得られる塗膜の磨耗性が極端に悪化するので好ましくない。好ましいシリカ系艶消し剤粒子の添加量は５〜２０質量％、さらに好ましくは８〜１５質量％である。
【００２４】
本発明では得られる塗膜のソフト感をより高めるために樹脂ビーズを用いてもよい。中でもポリウレタン粒子が好ましい。このポリウレタン粒子は、懸濁安定剤の存在下においてポリウレタンプレポリマーを水中に分散させた後重合し、洗浄、乾燥させて製造する方法（特開平１−１８５６４８号広報）、乳化剤の存在下に非水不活性液体中でポリウレタンを乳化重合する方法（特開平５−２１４０５４号広報、特開平７−９７４２５号広報）、等で合成される球状のポリウレタン粒子である。このポリウレタン粒子の合成において、２官能以下のイソシアナートウレタンプレポリマーを使用した場合は熱可塑性ウレタン粒子が得られ、２官能を超える末端イソシアナートウレタンプレポリマーを使用すると３次元架橋したウレタン粒子が得られる。本発明で使用するポリウレタン粒子としては、本塗料組成物により得られる塗膜の、耐酸性、耐アルカリ性、耐アルコール性、耐油性、耐熱性、耐磨耗性を向上させるために、３次元架橋したウレタン粒子がより好適に用いられる。使用するポリウレタン粒子の平均粒子径は２〜２０μｍである。平均粒子径が２μｍ未満では、得られる塗膜の光沢が高くなり、高級感が得られなくなるばかりではなく、ソフト感も低下するので好ましくない。一方、平均粒子径が２０μｍを超えると、得られる塗膜の磨耗性が低下し、また表面のソフト感が損なわれるので好ましくない。より好ましい平均粒子径は４〜１５μｍ、さらに好ましくは５〜１０μｍである。
【００２５】
本塗料組成部におけるポリウレタン粒子の添加量は、塗料組成物に含まれる全固形分の０〜３０質量％である。ポリウレタン粒子の含有量が３０質量％を超えると、得られる塗膜の磨耗性が悪化するので好ましくない。好ましいポリウレタン粒子の添加量は３〜２０質量％、さらに好ましくは５〜１５質量％である。
【００２６】
本発明の硬化性塗料組成物には、各種用途に応じて硬化促進剤（触媒）、充填剤、難燃剤、染料、有機又は無機顔料、離型剤、流動性調整剤、可塑剤、抗酸化剤、紫外線吸収剤、光安定剤、消泡剤、レベリング剤、着色剤、溶剤等を添加することができる。
【００２７】
硬化促進剤としては、モノアミンであるトリエチルアミン、Ｎ，Ｎ−ジメチルシクロヘキシルアミン、ジアミンであるテトラメチルエチレンジアミン、その他トリアミン、環状アミン、ジメチルエタノールアミンのようなアルコールアミン、エーテルアミン、金属触媒としては酢酸カリウム、２−エチルへキサン酸カリウム、酢酸カルシウム、オクチル酸鉛、ジブチル錫ジラウレート、オクチル酸錫、ビスマスネオデカノエート、ビスマスオキシカーボネート、ビスマス２−エチルヘキサノエート、オクチル酸亜鉛、亜鉛ネオデカノエート、ホスフィン、ホスホリン等、一般的に用いられるものが使用できる。
【００２８】
充填剤や顔料としては、織布、ガラス繊維、炭素繊維、ポリアミド繊維、雲母、カオリン、ベントナイト、金属粉、アゾ顔料、カーボンブラック、クレー、シリカ、タルク、石膏、アルミナ白、炭酸バリウム等一般的に用いられているものが使用できる。
【００２９】
また、艶消し剤や樹脂ビーズについては、必要に応じて１種類以上の艶消し剤、樹脂ビーズを併用してもよい。
【００３０】
離型剤や流動性調整剤、レベリング剤としては、シリコーン、エアロジル、ワックス、ステアリン酸塩、ＢＹＫ−３３１（ＢＹＫケミカル社製）のようなポリシロキサン等が用いられる。
【００３１】
本発明に用いられる添加剤としては少なくとも酸化防止剤、光安定剤及び熱安定剤が用いられることが望ましい。これらの酸化防止剤としては燐酸、亜燐酸、の脂肪族、芳香族又はアルキル基置換芳香族エステルや次亜燐酸誘導体、フェニルホスホン酸、フェニルホスフィン酸、ジフェニルホスホン酸、ポリホスホネート、ジアルキルペンタエリスリトールジホスファイト、ジアルキルビスフェノールＡジホスファイト等のリン化合物；フェノール系誘導体特にヒンダードフェノール化合物、チオエーテル系、ジチオ酸塩系、メルカプトベンズイミダゾール系、チオカルバニリド系、チオジプロピオン酸エステル等のイオウを含む化合物；スズマレート、ジブチルスズモノオキシド等のスズ系化合物を用いることができる。これらは単独で用いても２種以上組み合わせて用いてもよい。
【００３２】
本発明の塗料組成物には、塗装時の作業性を良好にするために、必要に応じて不活性有機溶剤を０〜９０質量％含有することができる。用いる不活性有機溶剤としては実質的にポリイソシアナート化合物に対して不活性な有機溶媒であり且つ活性水素を有しないものである。その例としては、ペンタン、ヘキサン、ヘプタン、オクタン、デカン、石油エーテル、石油ベンジン、リグロイン、石油スピリット、シクロヘキサン、メチルシクロヘキサン等の炭化水素類、トリクロロフルオロエタン、テトラクロロジフルオロエタン、パーフルオロエーテル等の弗素化油等の弗素系不活性液体、パーフルオロシクロヘキサン、パーフルオロブチルテトラヒドロフラン、パーフルオロデカリン、パーフルオロ−ｎ−ブチルアミン、パーフルオロポリエーテル、ジメチルポリシロキサン等の単独又は混合物が挙げられる。さらには、メチルエチルケトン、アセトン、酢酸エチル、酢酸ブチル、トルエン、キシレン等の溶媒が挙げられる。
【００３３】
本組成物の塗装方法としては、各々の成分を塗装直前に混合した後、スプレー、ロール、はけ等で基材に塗布する方法が用いられる。予め、硬化剤である（ａ）成分以外を混合しておき、塗布直前に（ａ）成分を添加し均一に混合した後、塗布する方法も可能である。
【００３４】
本発明の硬化性塗料組成物は、ソフトフィール塗料として、家電製品、ＯＡ製品、自動車内装部品、皮革の表面処理、合成皮革の表面処理、家具等木工製品の表面処理等に好ましく用いることができる。
【実施例】
【００３５】
以下、実施例などを用いて本発明を更に詳細に説明するが、本発明はこれらの例によって何ら限定されるものではない。また、以下の実施例及び比較例において、各種ポリオール及びそのポリウレタンフィルムの諸物性は、下記の試験方法に従って試験を実施した。
【００３６】
＜試験方法＞
１．ＯＨ価
無水酢酸１２．５ｇをピリジン５０ｍｌでメスアップしアセチル化試薬を調製した。１００ｍｌナスフラスコに、測定するサンプルを２．５〜５．０ｇ精秤する。アセチル化試薬５ｍｌとトルエン１０ｍｌをホールピペットで添加後、冷却管を取り付けて、１００℃で１ｈｒ撹拌加熱する。蒸留水２．５ｍｌをホールピペットで添加、さらに１０ｍｉｎ加熱撹拌する。２〜３ｍｉｎ冷却後、エタノールを１２．５ｍｌ添加し、指示薬としてフェノールフタレインを２〜３滴入れた後に、０．５ｍｏｌ／ｌエタノール性水酸化カリウムで滴定する。アセチル化試薬５ｍｌ、トルエン１０ｍｌ、蒸留水２．５ｍｌを１００ｍｌナスフラスコに入れ、１０分間加熱撹拌した後、同様に滴定を行う（空試験）。この結果をもとに、下記数式（ｉ）でＯＨ価を計算した。
ＯＨ価（ｍｇ−ＫＯＨ／ｇ）＝｛（ｂ−ａ）×２８．０５×ｆ｝／ｅ  （ｉ）
ａ：サンプルの滴定量（ｍｌ）
ｂ：空試験の滴定量（ｍｌ）
ｅ：サンプル重量（ｇ）
ｆ：滴定液のファクター
【００３７】
２．分子量
実施例、比較例中のポリマーの末端は、１３Ｃ−ＮＭＲ（２７０ＭＨｚ）の測定により、実質的に全てがヒドロキシル基であった。さらに、ポリマー中の酸価をＫＯＨによる滴定により測定したが、実施例、比較例のポリマー全てが０．０１以下であった。従って、得られたポリマーの数平均分子量は下式（ｉｉ）により求められる。
数平均分子量＝２／（ＯＨ価×１０―３／５６．１１）        （ｉｉ）
【００３８】
３．共重合組成比
本発明のポリカーボネートジオールの共重合組成比は、以下のように測定した。
１００ｍｌのナスフラスコにサンプルを１ｇ取り、エタノール３０ｇ、水酸化カリウム４ｇを入れて、１００℃で１ｈｒ反応する。室温まで冷却後、指示薬にフェノールフタレインを２〜３滴添加し、塩酸で中和する。冷蔵庫で１ｈｒ冷却後、沈殿した塩を濾過で除去し、ガスクロマトグラフィーにより分析を行った。分析は、カラムとしてＤＢ−ＷＡＸ（Ｊ＆Ｗ製）をつけたガスクロマトグラフィーＧＣ−１４Ｂ（島津製作所製）を用い、ジエチレングリコールジエチルエステルを内標として、検出器をＦＩＤとして行った。なお、カラムの昇温プロファイルは、６０℃で５分保持した後、１０℃／ｍｉｎで２５０℃まで昇温した。
【００３９】
４．塗膜硬度
ガラス板上に形成したフィルムについて、ペンドラム式硬度計で測定した。ガラス板上に塗布した塗装サンプルを装置に置き、振幅が５°になった時点かから振幅が２°になるまでの時間を測定した（ｔ）。塗装していないガラス板につき、同様の測定を行い振幅が５°になった時点かから振幅が２°になるまでの時間を測定した（ｔ０）。硬度（Ｘ）は以下の式で計算した。数値は、大きいほど塗膜表面が硬い。
硬度：Ｘ＝ｔ／ｔ０
【００４０】
５．耐磨耗性
ＪＩＳ  Ｋ５６００−５−８の方法に準じ、テーバー型磨耗試験機を用い測定した。磨耗試験前の重量と磨耗試験（５００回転）後の塗膜板の重量変化を測定し表記した。
【００４１】
６．光沢度
ＪＩＳ  Ｋ５６００−４−７の方法に準じ、８５°での塗膜表面の光沢度を測定した。
【００４２】
７．ソフト感
塗膜表面を手で触った感触によりソフト感を評価した。判定結果は以下の表記で表した。
◎：たいへん良好なソフト感  ○：良好なソフト感  △：まずまず良好なソフト感  ×：ソフトとは感じられない
【００４３】
８．ベタツキ感
塗膜表面を手で触った時の感触により評価した。判定結果は以下の表記で表した。
○：べたつかない  △：少々ベタツキ感あり  ×：べたつく
【００４４】
９．耐液体性
１）耐酸性：０．１Ｎ  Ｈ２ＳＯ４水溶液に２４ｈ室温で浸漬後の塗膜外観を目視判定。
◎：外観に変化なし  ○：外観にほぼ変化なし  △：極小さい膨れ  
×：明確な膨れ
２）耐アルカリ性：０．１Ｎ  ＮａＯＨ水溶液に室温で２４ｈ浸漬後の塗膜外観を目視判定。
◎：外観に変化なし  ○：外観にほぼ変化なし  △：極小さい膨れ  
×：明確な膨れ
３）耐エタノール性：５０％ＥｔＯＨ水溶液に室温で４ｈ浸漬後の塗膜外観を目視判定。
◎：外観に変化なし  ○：外観にほぼ変化なし  △：極小さい膨れ  
×：明確な膨れ
４）耐オレイン酸性：０．１ｇのオレイン酸を塗膜上に付着させ、４ｈ後に塗膜の外観を目視判定。
◎：外観に変化なし  ○：外観にほぼ変化なし  △：極小さい膨れ  
×：明確な膨れ
【００４５】
製造例１
攪拌機、温度計、頭頂に還流ヘッドを有する真空ジャッケト付きオルダーショウを備えた２Ｌセパラブルフラスコに、２−メチル−１，３−プロパンジオール５２８ｇ、１，４−ブタンジオール１３２ｇ、エチレンカーボネート６５０ｇを仕込み、７０℃で撹拌溶解した後、触媒として酢酸鉛三水和物を０．０１５ｇ入れた。１７５℃に設定したオイルバスで加熱し、フラスコの内温１４０℃、真空度１．０〜１．５ｋＰａで、還流ヘッドから還流比４で留分の一部を抜きながら、１２ｈｒ反応した。その後、オルダーショウを単蒸留装置に取り替え、温度を１８０℃に設定したオイルバスで加熱し、フラスコの内温１４０〜１５０℃、真空度を０．５ｋＰａまで落として、セパラブルフラスコ内に残った、ジオールとエチレンカーボネートを除去した。その後、オイルバスの設定温度を１８５℃に上げ、フラスコの内温１６０〜１６５℃で、生成するジオールを除去しながら、さらに４ｈｒ反応した。この反応により、常温で粘ちょうな液体が得られた。得られた反応物のＯＨ価は５６．１（分子量２０００）、共重合組成は２−メチル−１，３−プロパンジオール／１，４−ブタンジオール＝８０／２０（モル比）であった。
【００４６】
製造例２
製造例１において、２−メチル−１，３−プロパンジオール３３０ｇ、１，４−ブタンジオール３３０ｇを用いた以外は同様の方法で合成した。得られた反応物のＯＨ価は５６．１（分子量２０００）、共重合組成は２−メチル−１，３−プロパンジオール／１，４−ブタンジオール＝５０／５０（モル比）であった。
【００４７】
製造例３
製造例１において、２−メチル−１，３−プロパンジオール２３１ｇ、１，４−ブタンジオール４２９ｇを用いた以外は同様の方法で合成した。得られた反応物のＯＨ価は５６．１（分子量２０００）、共重合組成は２−メチル−１，３−プロパンジオール／１，４−ブタンジオール＝３５／６５（モル比）であった。
【００４８】
製造例４
製造例１の２Ｌセパラブルフラスコに、２−メチル−１，３−プロパンジオール３３０ｇ、１，４−ブタンジオール３３０ｇ、エチレンカーボネート６５０ｇを仕込み、７０℃で撹拌溶解した後、触媒として酢酸鉛三水和物を０．０１５ｇ入れた。１７５℃に設定したオイルバスで加熱し、フラスコの内温１４０℃、真空度１．０〜１．５ｋＰａで、還流ヘッドから還流比４で留分の一部を抜きながら、１２ｈｒ反応した。その後、オルダーショウを単蒸留装置に取り替え、温度を１８０℃に設定したオイルバスで加熱し、フラスコの内温１４０〜１５０℃、真空度を０．５ｋＰａまで落として、セパラブルフラスコ内に残った、ジオールとエチレンカーボネートを除去した。得られた反応物のＯＨ価は１４０．３（分子量８００）、共重合組成は２−メチル−１，３−プロパンジオール／１，４−ブタンジオール＝５０／５０（モル比）であった。
【００４９】
製造例５
製造例１において、２−メチル−１，３−プロパンジオール６２７ｇ、１，４−ブタンジオール３３ｇを用いた以外は同様の方法で合成した。得られた反応物のＯＨ価は５６．１（分子量２０００）、共重合組成は２−メチル−１，３−プロパンジオール／１，４−ブタンジオール＝９５／５（モル比）であった。
【００５０】
製造例６
製造例１において、２−メチル−１，３−プロパンジオール１３２ｇ、１，４−ブタンジオール５２８ｇを用いた以外は同様の方法で合成した。得られた反応物のＯＨ価は５６．１（分子量２０００）、共重合組成は２−メチル−１，３−プロパンジオール／１，４−ブタンジオール＝２０／８０（モル比）であった。
【００５１】
製造例７
製造例４において、２−メチル−１，３−プロパンジオール３３０ｇ、１，４−ブタンジオール３３０ｇを用いた以外は同様の方法で合成した。得られた反応物のＯＨ価は２２４．４（分子量５００）、共重合組成は２−メチル−１，３−プロパンジオール／１，４−ブタンジオール＝５０／５０（モル比）であった。
【００５２】
製造例８
製造例１において、２−メチル−１，３−プロパンジオール３３０ｇ、１，４−ブタンジオール３３０ｇを用いたことと、オイルバスの設定を１８５℃に上げたときに、フラスコの内温１６０〜１６５℃で、生成するジオールを除去する時間を延長した以外は同様の方法で合成した。得られた反応物のＯＨ価は２８．１（分子量４０００）、共重合組成は２−メチル−１，３−プロパンジオール／１，４−ブタンジオール＝５０／５０（モル比）であった。
【００５３】
製造例９
製造例１において、１，５−ペンタンンジオール３８２ｇ、１，６−ヘキサンジオール４３３ｇを用いた以外は同様の方法で合成した。得られた反応物のＯＨ価は５６．１（分子量２０００）、共重合組成は１，５−ペンタンンジオール／１，６−ヘキサンジオール＝５０／５０（モル比）であった。
【００５４】
実施例１
製造例１で得られたポリカーボネートジオール（ＰＣＤＬ−１：  ２−メチル−１，３−プロパンジオールと１，４−ブタンジオールとを８０／２０のモル比で共重合して得られたポリカーボネートジオールで、分子量２０００）４１．５８ｇ、艶消し剤ＡｃｅｍａｔｔＯＫ−５００（平均粒径３μｍ、Ｄｅｇｕｓｓａ社製）５ｇ、レベリング剤ＢＹＫ−３３１（ＢＹＫケミカル社製）０．７５ｇ、ジブチル錫ジラウレート（Ａｉｒ  Ｐｒｏｄｕｃｔ社製）１．２５ｇ、及びシンナーとしてキシレン／酢酸ブチル（７０／３０）の混合溶媒を、最終的な塗料固形分が５０％になるように添加して拌機し塗料主剤を得た。これに硬化剤としてデュラネートＴＰＡ−１００（旭化成ケミカルズ社製：ヘキサメチレンジイソシアナート系イソシアヌレート型硬化剤、固形分１００％、ＮＣＯ含量＝２３．１ｗｔ％）を８．４２ｇ添加、混合して塗布液を作製した。これをアクリロニトリル−ブタジエン−スチレン（ＡＢＳ）樹脂板上に塗布した後、８０℃で２時間加熱硬化させ膜厚み３０〜４０μｍの塗膜を得た。塗料配合とその諸物性を表１に示した。
【００５５】
実施例２
実施例１のポリカーボネートジオールの替わりに製造例２で作製したポリカーボネートジオール−２（ＰＣＤＬ−２：  ２−メチル−１，３−プロパンジオールと１，４−ブタンジオールとを５０／５０のモル比で共重合して得られたポリカーボネートジオールで、数平均分子量２０００）を用いた以外は、実施例１と同様の方法で塗料を作成した。塗料配合とその諸物性を表１に示した。
【００５６】
実施例３
実施例１のポリカーボネートジオールの替わりに製造例３で作製したポリカーボネートジオール−３（ＰＣＤＬ−３：  ２−メチル−１，３−プロパンジオールと１，４−ブタンジオールとを３５／６５のモル比で共重合して得られたポリカーボネートジオールで、数平均分子量２０００）を用いた以外は、実施例１と同様の方法で塗料を作成した。塗料配合とその諸物性を表１に示した。
【００５７】
実施例４
実施例１のポリカーボネートジオールの替わりに製造例４で作製したポリカーボネートジオール−４（ＰＣＤＬ−４：  ２−メチル−１，３−プロパンジオールと１，４−ブタンジオールとを５０／５０のモル比で共重合して得られたポリカーボネートジオールで、数平均分子量８００）３３．２ｇを用い、デュラネートＴＰＡ−１００の添加量を１６．８ｇとした以外は、実施例１と同様の方法で塗料を作成した。塗料配合とその諸物性を表１に示した。
【００５８】
実施例５
実施例２の硬化剤の替わりに、デュラネート２４Ａ−１００（旭化成ケミカルズ社製：ヘキサメチレンジイソシアナート系ビュレット型硬化剤、固形分１００％、ＮＣＯ含量＝２３．５ｗｔ％）を８．２９ｇとした以外は実施例２と同様に塗料を作成した。塗料配合とその諸物性を表１に示した。
【００５９】
実施例６
実施例２で艶消し剤ＯＫ−５００の添加量を１５ｇにした以外は実施例２と同様の方法で塗料を作製した。塗料配合とその諸物性は表１に示した。
【００６０】
実施例７
実施例２で艶消し剤ＯＫ−５００の添加量を３ｇにした以外は実施例２と同様の方法で塗料を作製した。塗料配合とその諸物性は表１に示した。
【００６１】
実施例８
実施例２で艶消し剤ＯＫ−５００のかわりにシリカ１（粒径０．５μｍ）５ｇを使用した以外は実施例２と同様の方法で塗料を作製した。塗料配合とその諸物性は表１に示した。
【００６２】
実施例９
実施例２で艶消し剤ＯＫ−５００のかわりにＡｃｅｍａｔｔＨＫ４４０（平均粒径７μｍ、Ｄｅｇｕｓｓａ社製）５ｇ使用した以外は実施例２と同様の方法で塗料を作製した。塗料配合とその諸物性は表１に示した。
【００６３】
実施例１０
ポリウレタン粒子（アートパール、Ｃ−８００ＢＫ、平均粒子径＝６μｍ、根上工業株式会社製）７ｇを使用した以外は実施例２と同様に塗料を作成した。塗料配合とその諸物性を表２に示した。
【００６４】
実施例１１
窒素ガスで充分に置換し、乾燥させた２ＬオートクレーブにアデカポリエーテルＧ−７００（旭電化工業株式会社製、グリセリンＰＯ付加物、水酸基価２２５ｍｇ／ＫＯＨｇ）１７５ｇとヘキサメチレンジイソシアネート１０１ｇを仕込み、１２０℃で２０時間撹拌、反応させた。その後減圧下で未反応のヘキサメチレンジイソシアネートを除去した後トルエンを加えて不揮発分９０％の合成物（Ｉ）を得た。２Ｌ撹拌機付きセパラブルフラスコに水９７０ｇを仕込み、この中ヘメトローズ９０ＳＨ−１００（信越化学株式会社製品；メチルセルロース）３０ｇを溶解して分散媒を作成した。該分散媒を１０００ｒｐｍ撹拌下に合成物（Ｉ）２５０ｇをトルエン８７ｇで希釈した溶液を加え、懸濁液を作成した。撹拌継続下に懸濁液を６０℃に昇温し、１．５時間反応した後室温まで冷却し、固液分離し、水で充分洗浄した後７０℃、２０時間乾燥して平均粒子径４μｍのウレタン粒子（ビーズ１）を得た。実施例１０のポリウレタン粒子の替わりに、上記方法にて合成したポリウレタン粒子を使用した以外は実施例２と同様に塗料を作成した。塗料配合とその諸物性を表２に示した。
【００６５】
実施例１２
ポリウレタン粒子（アートパール、Ｃ−４００ＢＫ、平均粒子径＝１４μｍ、根上工業株式会社製）７ｇを使用した以外は実施例２と同様に塗料を作成した。塗料配合とその諸物性を表２に示した。
【００６６】
実施例１３
ポリウレタン粒子（アートパール、Ｃ−８００ＢＫ、平均粒子径＝６μｍ、根上工業株式会社製）４ｇを使用した以外は実施例２と同様に塗料を作成した。塗料配合とその諸物性を表２に示した。
【００６７】
実施例１４
ポリウレタン粒子（アートパール、Ｃ−８００ＢＫ、平均粒子径＝６μｍ、根上工業株式会社製）１０ｇを使用した以外は実施例２と同様に塗料を作成した。塗料配合とその諸物性を表２に示した。
【００６８】
比較例１
実施例１のポリカーボネートジオールの替わりに製造例５で作製したポリカーボネートジオール−５（ＰＣＤＬ−５：  ２−メチル−１，３−プロパンジオールと１，４−ブタンジオールを９５／５のモル比で共重合して得られたポリカーボネートジオールで、数平均分子量２０００）を用いた以外は、実施例１と同様の方法で塗料を作成した。塗料配合とその諸物性を表３に示した。
【００６９】
比較例２
実施例１のポリカーボネートジオールの替わりにポリカーボネートジオール−６（ＰＣＤＬ−６：  ２−メチル−１，３−プロパンジオールと１，４−ブタンジオールとを２０／８０のモル比で共重合して得られたポリカーボネートジオールで、数平均分子量２０００）を用いた以外は、実施例１と同様の方法で塗料を作成した。塗料配合とその諸物性を表３に示した。
【００７０】
比較例３
実施例１のポリカーボネートジオールの替わりにポリカーボネートジオール−７（ＰＣＤＬ−７：  ２−メチル−１，３−プロパンジオールと１，４−ブタンジオールとを５０／５０のモル比で共重合して得られたポリカーボネートジオールで、数平均分子量５００）を用いた以外は、実施例１と同様の方法で塗料を作成した。塗料配合とその諸物性を表３に示した。
【００７１】
比較例４
実施例１のポリカーボネートジオールの替わりにポリカーボネートジオール−８（ＰＣＤＬ−８：  ２−メチル−１，３−プロパンジオールと１，４−ブタンジオールとを５０／５０のモル比で共重合して得られたポリカーボネートジオールで、数平均分子量４０００）を用いた以外は、実施例１と同様の方法で塗料を作成した。塗料配合とその諸物性を表３に示した。
【００７２】
比較例５
実施例１のポリカーボネートジオールの替わりに製造例９で作製したポリカーボネートジオール−９（ＰＣＤＬ−９：  １，５−ペンタンジオールと１，６−ヘキサンジオールとを５０／５０のモル比で共重合して得られたポリカーボネートジオールで、数平均分子量２０００）を用いた以外は、実施例１と同様の方法で塗料を作成した。塗料配合とその諸物性を表３に示した。
【００７３】
比較例６
実施例２の艶消し剤ＯＫ−５００のかわりに、クォートロンＰＬ−２（粒径０．０２μｍ、固形分２０％、扶桑化学工業社製）５ｇを使用した以外は実施例２と同様の方法で塗料を作製した。塗料配合とその諸物性は表３に示した。
【００７４】
比較例７
実施例２の艶消し剤ＯＫ−５００のかわりに、シリカ２（粒径３０μｍ）５ｇを使用した以外は実施例２と同様の方法で塗料を作製した。塗料配合とその諸物性は表３に示した。
【００７５】
比較例８
実施例２の艶消し剤ＯＫ−５００を１ｇ使用した以外は実施例２と同様の方法で塗料を作製した。塗料配合とその諸物性は表３に示した。
【００７６】
比較例９
実施例２の艶消し剤ＯＫ−５００を２５ｇ使用した以外は実施例２と同様の方法で塗料を作製した。塗料配合とその諸物性は表３に示した。
【００７７】
【表１】
0005344852.tif 000006
【００７８】
【表２】
0005344852.tif 000007
【００７９】
【表３】
0005344852.tif 000008